Podtech/llm-jp-corpus-v4-ja_patent huggingface dataset:
(57)【要約】      （修正有）【課題】十分な強度があり、作るもの捨てるものも、持ち運びも簡単な段ボール製ベッドを提供する。【解決手段】段ボール箱の集合体の上にベニヤ板を組み合わせる。【選択図】図２
0003168768.tif 000002
【実用新案登録請求の範囲】
【請求項１】
段ボール箱の集合体の上にベニヤ板を組み合わせた事を特徴とする段ボール製ベッド。
【考案の詳細な説明】
【技術分野】
【０００１】本考案は、段ボール箱を複数組み合わせその上にベニヤ板を置きいたベッドに関するものである。【０００２】段ボール箱を必要面積形成しただけの場合強度的に弱く長期間使用は不可能であるが、同寸のベニヤ板を一枚敷く事によりその強度は使用に充分耐え得る物となり、私が実験してるだけでも５年間充分耐えており。
【考案の概要】
【考案が解決しようとする課題】
【０００３】金属製叉は木製ベッドは素人には作り得ませんが、段ボール製ベッドの場合は作るのも捨てるのも簡単持ち運びも簡単で、前述の欠点を解決しょうとするものである。
【課題を解決する為の手段】
本考案は、段ボール箱で形成したベッドの上にベニヤ板を乗せ段ボール箱の強度を補強する様にしたものであり、ベニヤ板を併用して問題点を解決している。
【考案の効果】
上述の様に段ボール箱のみでは作り得ない強度を補強する為にベニヤ板を上面積と同寸乗せる事によりその強度は充分な物として役立つ。
【図面の簡単な説明】
【０００４】
【図１】本考案の段ボール製ベッドの実施例を示す平面図、
【図２】本考案の段ボール製ベッドの実施例を示す側面図
【図３】本考案の段ボール製ベッドの実施例を示す正面図
【考案を実施する為の形態】
【０００５】ベッド本体の上にベニヤ板を置き寝具を敷いて寝た時段ボール箱内部の空気層は体温から受ける温度も自然で非常に寝心地はよい物であります。
【実施例】
【０００６】以下添付図面に従って実施例を説明する。
図中１は段ボール箱の集合体、
図中２はベニヤ板、
〔図面１〕ベッド平面図、
〔図面２〕ベッド側面図、
〔図面３〕ベッド正面図、【０００７】本考案の一実施例は上述の如き構成からなるものであるから、ベッド本体１の上に寝具を敷いただけでは強度的に不充分であるが、ベニヤ板２を組み合わせる事によりその強度は充分使用に耐える物に変化します
【符号の説明】
【０００８】１段ボール箱、
２ベニヤ板、
【図１】
0003168768.tif 000003
【図２】
0003168768.tif 000004
【図３】
0003168768.tif 000005
(57)【要約】      （修正有）【課題】ガーゼ毛布のガーゼ側のボリューム感と美感を兼ね備えた一体構造二重織パイルガーゼ毛布を提供する。【解決手段】表面はガーゼ織組織の中にパイル糸が突出して織り込まれており、平坦なガーゼ部１とパイルループが突出して形成されたパイル部２とからなり、裏面は生地の片面を起毛した起毛毛布部３からなり、表面と裏面は接結糸により止められている。【選択図】図１
0003168762.tif 000002
【実用新案登録請求の範囲】
【請求項１】
（１）ガーゼ部、（２）パイル部および（３）起毛毛布部からなる二重織物であり、前記（１）ガーゼ部と（３）起毛毛布部は接結糸で止められていることを特徴とする一体構造二重織パイルガーゼ毛布。
【考案の詳細な説明】
【技術分野】
【０００１】
本考案は生活資材、殊に、寝装用、人体保温用に好適ながーゼ地組織を織り込んだ二重パイルガーゼ毛布に関する。
【背景技術】
【０００２】
従来、通気性があって、吸湿、吸水性のよいガーゼ地とパイル地とを二重織にしたタオルあるいは、吸湿性が良いガーゼを綿毛布地と二重織にして、表面を起毛して綿毛布とする試みが知られている。
【先行技術文献】
【特許文献】
【０００３】
【特許文献１】特開平１０−１１７９０９号公報
【考案の概要】
【考案が解決しようとする課題】
【０００４】
前記する従来公知の毛布は、製織後に綿毛布の表面を起毛すると毛布に収縮が起こり、同時にガーゼ地側にたるみが発生するといった不具合が生じる。また、このような問題を解決するために、ガーゼと毛布を別々に作成した後、キルト縫製した、所謂、張り合わせ技術が知られているが、この場合、作成の工程が増加しコストも大きくなることが問題である。これらの従来技術の問題を解消する課題に加えて、本考案では、ガーゼ毛布のガーゼ側の手触りボリューム感ならびに意匠性美的感覚を兼ね備えたガーゼ毛布の提供が課題である。
【課題を解決するための手段】
【０００５】
本考案は、（１）ガーゼ部、（２）パイル部および（３）起毛毛布部からなる二重織物であり、前記（１）ガーゼ部と（３）起毛毛布部は接結糸で止められていることを特徴とする一体構造二重織パイルガーゼ毛布である。
【考案の効果】
【０００６】
本考案の一体構造二重織ガーゼパイル毛布は、従来のガーゼ毛布に比べて厚手でボリューム感があり、表面がパイルを形成したガーゼ織物であり、裏面が起毛毛布で形成されている。夏はサラッとした感じ、冬は保温性があって暖かく、発汗放出、保温、吸水性も高い。また、通気性が良く、保温性も兼ね備えており、濡れた場合、乾燥が早いのも特徴の一つである。更に、ガーゼ組織は、肌触りが良く、柔らかいうえに、パイルが形成されているので従来品にくらべてボリューム感があるのが特徴であり、紋織り等を付与すれば、美的感覚、デザイン性効果は抜群のものとなる。
【０００７】
特に、ガーゼ部と毛布部の糸素材を変えることにより、表側と裏側の機能性に変化を持たせる事ができる。
【図面の簡単な説明】
【０００８】
【図１】本考案一体構造二重織パイルガーゼ毛布実施例１の見取図である。
【図２】本考案一体構造二重織ガーゼパイル毛布実施例１の織物組織図である。
【図３】本考案一体構造二重織パイルガーゼ毛布実施例１の織前から見た断面図である。
【考案を実施するための形態】
【０００９】
本考案は、表はパイルガーゼ付裏は毛布で形成され、表と裏は接結一体構造二重織になっている。裏の毛布部分は起毛により、毛布を形成し、表ガーゼと裏毛布との二重織の止め部分で接結されていることを特徴としたパイルガーゼ毛布である。
【００１０】
本考案では、パイル部に木綿を入れることによりパイル部の皺が防止できるので特に
好ましい。
【００１１】
本考案の毛布地に用いる糸は、綿、ウール、アクリル、ポリエステル、ナイロン等いずれでもよい。
【００１２】
本考案のガーゼ地に用いる糸は、特に限定されないが、肌触り、吸湿性が良く、柔らかさ保持の面で、綿糸が好ましい。
【実施例】
【００１３】
（実施例１）
ドビー織機を用い、二重ビーム（ガーゼビーム、起毛糸ビーム）、綜絖（ヘルドともいう）枠数１２枚を用いて図２に示す組織図に基づいて織成した。
【００１４】
図１は、本願考案二重織物実施例１の概略見取り図であり、表面はガーゼ、裏面は起毛毛布からなる二重紋織物を示す。
【００１５】
図２は、同実施例１の織物組織図を示す。たての１〜６の数字は、緯糸ピック数を示す。よこの１〜１２の数字は綜絖枠枚数を示す。Ｐはパイル糸、Ｇはガーゼ糸を示す。Ａは上げる、Ｓは沈む、Ｔは止める（引っ掛け）を示す。
【００１６】
図３は、同実施例１の二重織物の織前から見た断面図を示す。
【産業上の利用可能性】
【００１７】
夏はパイル部を肌側に用いてサラッとした感じ、冬は毛布部を肌側に用いることで保温性があって暖かく、発汗放出、保温、吸水性も高い。また、通気性が良く、保温性も十分兼ね備えており、家庭用洗濯機で洗濯が可能であり、乾燥が早いのも特徴の一つである。更に、ガーゼ組織は、ソフトなボリューム感があり、肌触りが良いのが特徴であり、紋織り等を付与すれば、美的感覚、デザイン性効果は抜群のパイルガーゼ毛布が提供できる。
【符号の説明】
【００１８】
１ガーゼ部
２パイル部      
３起毛毛布部      
【図１】
0003168762.tif 000003
【図２】
0003168762.tif 000004
【図３】
0003168762.tif 000005
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
表面はガーゼ織組織の中にパイル糸が突出して織り込まれており、平坦なガーゼ部（１）とパイルループが突出して形成されたパイル部（２）とからなり、裏面は生地の片面を起毛した起毛毛布部（３）からなり、表面と裏面は接結糸により止められていることを特徴とする一体構造二重織パイルガーゼ毛布。
【手続補正２】
【補正対象書類名】明細書
【補正対象項目名】０００５
【補正方法】変更
【補正の内容】
【０００５】  本考案は、表面はガーゼ織組織の中にパイル糸が突出して織り込まれており、平坦なガーゼ部（１）とパイルループが突出して形成されたパイル部（２）とからなり、裏面は生地の片面を起毛した起毛毛布部（３）からなり、表面と裏面は接結糸により止められていることを特徴とする一体構造二重織パイルガーゼ毛布である。
【手続補正３】
【補正対象書類名】明細書
【補正対象項目名】００１３
【補正方法】変更
【補正の内容】
【００１３】  （実施例１）綜絖  ドビー織機を用い、二重ビーム（ガーゼビーム、パイルビーム）、綜絖（ヘルドともいう）枠数１２枚を用いて図２に示す組織図に基いて織製した。
(57)【要約】      （修正有）【課題】銀行や郵便局の消費者保護のためのポスターを、一遍に分かりやすく貼るためのポスターボードを提供する。【解決手段】銀行や郵便局で金融監督庁などの指導により、消費者保護のためにつくられた必ず貼らなければならないポスターを、一ヶ所で１遍に見せるためのポスターボードである。一ヶ所で四角にして８枚貼るのと、１２０度の角度をボードに持たせて１２枚貼る等、最大３２枚まで貼ることができるようにする。２４枚、また１８枚のポスターを貼ることもできるようにした。【選択図】図３
0003168717.tif 000002
【実用新案登録請求の範囲】
【請求項１】
銀行や郵便局で金融監督庁などの指導により、消費者保護のためにつくられた必ず貼らなければならないポスターを、一ヶ所で１遍に見せるためのポスターボードで、形態として図１、図２、図３、図４、図５のもの。
【考案の詳細な説明】
【技術分野】
【０００１】  消費者が一遍に分かるようにポスターを集合できるポスターボード。
【背景技術】
【０００２】  ポスターボードを見やすくつくる。
【先行技術文献】
【０００３】
【非特許文献】
【非特許文献】「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【考案が解決しようとする課題】
【０００４】  金融監督庁や協会、組合、消費者団体などから必ず掲示してくれと言われているポスターは、多い時は１０数枚になる。それ等を全て一堂に会して見せないと、消費者にとって大変分かりにくいものになる。
【課題を解決するための手段】
【０００５】  一ヶ所にまとめて分かりやすくつくる。場所をとらずに一遍にたくさん貼るためには、図１と図２の形態が考えられる。図１は８枚、図２は１２枚、図３は３２枚を貼ることができる。また、図３を発展させたものとして図４は２４枚、図５は１８枚のポスターを貼ることができる。
【図面の簡単な説明】
【０００６】
【図１】斜視図
【図２】斜視図
【図３】斜視図
【図４】斜視図
【図５】斜視図  見ての通り単純な四角型（図１）とＹの字型（図２）とかぎ十字型（図３）、図３の展開として図４、図５の自立式のポスターボードである。一遍に消費者が見えるようにした。
【図１】
0003168717.tif 000003
【図２】
0003168717.tif 000004
【図３】
0003168717.tif 000005
【図４】
0003168717.tif 000006
【図５】
0003168717.tif 000007
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行、郵便局において、金融庁からの１０種類以上に及ぶポスターを１ヶ所で１度に利用客に見せるために、かつ、店内でスペースを多く取らないために、立面方向には２段、３段と積み重ね、平面方向にはロの字型、Ｙの字型、卍型、風車型、クランク型、などの形で構成されるポスターボード什器。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
銀行、郵便局において、金融庁から掲示の指示を受けている１０種類以上のポスターを、一ヶ所で、一度に利用客に見せるために、かつ、店内でスペースを多く取らないように、ポスターを立面方向に２段、３段と積み重ねて掲示でき、平面方向にはロの字型、Ｙの字型、卍型、クランク型の形状でポスターを並べて掲示できるポスターボード。
(57)【要約】      （修正有）【課題】しいたけ、まいたけ、たもぎたけなどのきのこ類を、家庭用ラックなどにきのこ類栽培の菌床を載せ、それを積み重ねることで、一般家屋、納屋、倉庫、事務所などで簡単に栽培、収穫できるようにした設備を提供する。【解決手段】一般家屋、倉庫、又は事務所内に、花粉、有害ガスなどが流入し無い様に外部の空気侵入箇所をテープで封鎖し密閉状態とし、吸気フアン３、暖房機４、加湿器５、換気フアン６を設置し、その内部に積み重ね可能なラックに栽培するきのこの菌床を設置してきのこ栽培装置を構成する。【選択図】図３
0003168715.tif 000002
【実用新案登録請求の範囲】
【請求項１】
積み重ね可能なラック１に栽培するきのこの菌床２を載置して、栽培環境を調節出来る一般家屋、納屋、倉庫、事務所などで積み重ね栽培するきのこ栽培装置。
【考案の詳細な説明】
【技術分野】
【０００１】国際特許分類Ａ０１農業、林業に属する。
【背景技術】
【０００２】しいあけ、まいたけ、たもぎたけなどのきのこ類を、工場の複雑な設備を要せず生産しうる簡易栽培、培養技術である。
【先行技術文献】
【０００３】特開２００６−００６１６４
【考案の概要】
【考案が解決しようとする課題】
【０００４】しいたけ、まいたけ、たもぎたけなどのきのこ類を一般家屋、納屋、倉庫、事務所などで簡単に栽培、収穫できる設備と配置。
【課題を解決するための手段】
【０００５】家庭用ラックなどにきのこ類栽培の菌床を載せ、それを積み重ね栽培、培養すること。
【考案の効果】
【０００６】きのこ類を一般家屋、事務所などで栽培が出来るので新鮮なきのこ類が容易に得られる。
【図面の簡単な説明】
【０００７】
【図１】「ラックの斜視図である」
【図２】「ラッツクを積層した正面図である。」
【図３】「ラックを配分設置した平面図である。」
【考案を実施するための形態】
【０００８】菌床２を載置するラック１を積み重ねて温度、湿度が適正な事務所、倉庫、工場、家屋、納屋などで栽培する。
【実施例】
【０００９】ラック１に栽培するきのこ類の菌床２を載置して、ラックの機構に従い４段程度に積み重ねる。
きのこ類の生育には光線の作用より温度、湿度の影響が大きいので、ラックを積み重ねても生育に差し支えない。この点が本考案の特徴である。【００１０】ラック１に載置した菌床２を吸気フアン３、暖房機４、加湿器５、換気フアン６を設置した倉庫７などに設置して栽培、培養する。
【産業上の利用可能性】
【００１１】本考案は、一般家屋、倉庫、事務所などで簡易にきのこ類を栽培できるので、新鮮なきのこを手軽に利用できる。
【符号の説明】
【００１２】１        ラック
２        菌床
３        吸気フアン
４        暖房機
５        加湿器
６        排気フアン
７        倉庫
【図１】
0003168715.tif 000003
【図２】
0003168715.tif 000004
【図３】
0003168715.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
積み重ね可能なラック１に菌床２を植付け周囲を密閉できる一般家屋、倉庫、又は事務所で積み重ね栽培するきのこ栽培装置。
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
一般家屋、倉庫、又は事務所内に、花粉、有害ガスなどが流入し無い様に外部の空気侵入箇所をテープで封鎖し密閉状態とし、吸気フアン３、暖房機４、加湿器５、換気フアン６を設置し、その内部に積み重ね可能なラック１に栽培するきのこの菌床を設置したきのこ栽培装置。
(57)【要約】      （修正有）【課題】既存の壁面にワンタッチで新しいパネルを取り付ける壁面仕上げ用パネルを提供する。【解決手段】マグネットを付けた新しいパネルを既存のスチールパネルの上に重ねるか、又はマジックテープ（登録商標）を付けた新しいパネルを既存のパネルの上に重ねる。付帯工事費（警備補償費、工事期間の中で使用できない費用、音とホコリが出るための養生費）がなくなる。単に汚れたからのいって、捨てることなく新品以上の美しさが得られる。【選択図】図１
0003168716.tif 000002
【実用新案登録請求の範囲】
【請求項１】
スチールでできた壁面にマグネットで新しいパネルを取り付ける。スチールでない壁面は、マジックテープ（登録商標）で新しいパネルを取り付ける。
【考案の詳細な説明】
【技術分野】
【０００１】  オフィスの壁面はスチールパネルで仕切っているが、そのスチールパネルを模様替えする時、磁石でパネルを取り付ける方法で行う。また、壁面がスチールでない場合はマジックテープ（登録商標）を用いる。
【背景技術】
【０００２】  オフィスなどで用いられるパーティションや間仕切りが汚れたり雰囲気を変える必要がある時、ペンキで塗りなおしたり壁紙を貼ったりしようとすると、ホコリや騒音の問題が生じるため、休日や夜間工事になり、作り直した方がお金がかからないということになった。そのような問題を解決するために、既存の壁面を利用し、磁石やマジックテープ（登録商標）で新しいパネルを付ける。
【先行技術文献】
【０００３】
【非特許文献】
【非特許文献】  「世界のオフィスプランニング  これからのオフィス・デザイン」、株式会社六耀社発売、２００１年２月５日発行
【考案の概要】
【０００４】  古いパネルを捨てることなく再利用できる大変エコロジカルな方法である。それも工事をする必要がなく、磁石やマジックテープ（登録商標）付きの新しいパネルを持ってきて古いパネルの上に接着させるだけである。
【考案が解決しようとする課題】
【０００５】  汚くなったりした古いパネルを捨てることなく新しくしたのと同じような効果が、工事をすることなくできる。工事をすると音とホコリが出るため、休日や夜間に工事をすることになり、その間その場所は使えなくなり、パーティションのコストよりも工事に関わる付帯コストが大変大きくなる。それ等の付帯コストをかけずに行えるようにする。
【課題を解決するための手段】
【０００６】  現在ある壁面やスチールパーティションに磁石やマジックテープ（登録商標）付きのパネルを持ってきて重ねる。
【考案の効果】
【０００７】  付帯工事費（警備保障費、工事期間の中で使用できない費用、音とホコリが出るための養生費）がなくなる。単に汚れたからといって、捨てることなく新品以上の美しさが得られる。
【図面の簡単な説明】
【０００８】
【図１】  パネルを取り付ける斜視図
【図２】  取り付けようとするパネルの断面図
【図３】  図２の断面パネルが壁面に取り付けたところの斜視図
【符号の説明】図１の１３ａは既存のスチールパーティションである。１３ａの模様替えをしようとする時、１２ａのパネルの１１ａのところにマグネットやマジックテープ（登録商標）をつけておいて、１３ａに取り付けようとするものである。１４ａは１２ａを正面から見た表側である。
図２は取り付けようとするパネルの断面である。
図３は図２の断面パネルが壁面に取り付けたところの斜視図である。２１ａが取り付いたのが３１ａ、２２ａが取り付いたのが３２ａ、２３ａが取り付けたのが３３ａである。
【図１】
0003168716.tif 000003
【図２】
0003168716.tif 000004
【図３】
0003168716.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
既にある壁面に、マグネット、マジックテープ（登録商標）等で簡単に取り付けられるパネル。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
壁面に対して、スチール板を折り曲げ  薄い箱型状にしたパネル、あるいは、木質材料のパネルなどの裏面にマグネット、あるいはマジックテープ（登録商標）を取り付けることで簡単に着脱することができる壁面仕上げ用パネル。
(57)【要約】      （修正有）【課題】コストが安く、視覚的にソフトな印象を与え、化粧品や携帯用のスプレー容器に適したプラスチック製容器を提供する。【解決手段】プラスチック製容器１において、その胴体部２を透明又は半透明樹脂にて成形すると共に、この胴体部２の内面に任意の凹凸模様５を一体に成形する。凹凸模様５は胴体部２が透明又は半透明であるため外から視認できる。【選択図】図１
0003168886.tif 000002
【実用新案登録請求の範囲】
【請求項１】
透明又は半透明樹脂を用いて成形された胴体部の内面に、前記成形と同時に凹凸状の模様を一体に形成してなるプラスチック製容器。
【請求項２】
前記胴体部は、ブロー又は射出成形により形成されていることを特徴とする請求項１に記載のプラスチック製容器。
【考案の詳細な説明】
【技術分野】
【０００１】
本考案は、透明又は半透明からなるプラスチック製容器に関するものである。
【背景技術】
【０００２】
透明又は半透明からなるプラスチック製容器に外観的な意匠性を直接付与する手段としては、容器の表面に直接印刷を施す方法又は容器の外表面に彫刻を施す方法、あるいはブロー成形容器等の場合には容器自体に凹凸模様をつける方法等がある。
【０００３】
例えば、特許文献１（特開２０１１−０５１６３１号）には、容器用ラベル印刷物において、金属缶の焼付け工程を不要とすることができると共に、光沢感のみでなく艶消し感をも優れたものにして金属缶等の容器の意匠性を高め得るラベル印刷物を提供するために、透明基材の表面又は裏面に印刷層が設けられた容器用ラベル印刷物であって、該印刷層の表面上の少なくとも一部又は該透明基材の表面上の少なくとも一部に艶消しコーティング層と光沢層とが、その順で又はその逆の順で、あるいは艶消しコーティング層と光沢層とを並列に設ける技術手段が紹介されている。
【先行技術文献】
【特許文献】
【０００４】
【特許文献１】特開２０１１−２５１６３１号公報
【考案の開示】
【考案が解決しようとする課題】
【０００５】
しかし、上記した各方法において、容器に直接印刷する方法は、着色等も任意であり、模様を精緻に表わすことはできるが、コストがかかる。
【０００６】
また、彫刻する方法の場合、立体的なデザインとなることから、高級感を出すことはできるが、この場合もコストがかかる。
【０００７】
また、ブロー成形により表面に凹凸をつける方法は、デザイン的には大まかとなり、強度をつけるための凹凸模様が主であることから、視覚的に格別な美感を与えることは少ない。
【０００８】
本考案は斯る点に鑑みて提供されるものであって、コストが安く、視覚的にはソフトな印象を与え、特に化粧品や携帯用のスプレー容器等としての利用に適したプラスチック製容器を提供するのが目的である。
【課題を解決するための手段】
【０００９】
上記した目的を解決する手段として、請求項１に記載した考案では、プラスチック製容器において、その胴体部（本体部分）を透明又は半透明に形成すると共にこの胴体部の内面に任意の凹凸模様を一体に成形し、前記凹凸模様を胴体部の透明又は半透明の作用を利用して外から視認できるように形成したことを特徴とする。
【考案の効果】
【００１０】
本考案は、容器の胴体部が透明又は半透明に形成されていて、この胴体部の内面に任意の凹凸模様が形成されていると、この模様は外から透視できる。
【００１１】
この透視効果により、胴体部の内面に形成された凹凸模様がソフトな印象となって視覚的に捉えることができ、デザイン的に優れた印象を与えることができる。
【００１２】
また、凹凸模様は胴体部の内面に形成されているため、擦り傷等によりデザイン性が損なわれることがない。
【００１３】
また、ブロー又は射出成形により製造する場合、製造コストを上記した従来の方法に比較して格段に安く抑えることができる。
【００１４】
なお、デザイン的には縦縞又は横縞は勿論のこと、商品ラベルや自然あるいは動植物を表わすことができる。
【図面の簡単な説明】
【００１５】
【図１】本考案を実施したプラスチック製容器の斜視図。
【図２】Ａ−Ａ’線断面図。
【考案を実施するための最良の形態】
【００１６】
本考案に係るプラスチック製容器は、透明又は半透明（着色を含む）プラスチック樹脂にてブロー成形されており、内部には液体が充填され、ポンプ等で吸い揚げて注出又は噴霧できる形態のものを主眼としているが、この液体の注出手段については限定されない。
【００１７】
また、大きさ及び胴体部の横断面形状も多角形、円形を含み、特に限定されない。
【００１８】
以下、図１、２に基づいて実施例を詳細に説明すると、図１はキャップを外した状態の容器、図２は胴体部をＡ−Ａ’線で横断した平面図である。
【００１９】
符号の１は透明なプラスチックを用いてブロー成形又は射出成形された容器全体を指し、２は容器１の胴体部であって、この胴体部２は円筒状を呈し、外表面は円滑である。
【００２０】
３はプッシュ式の噴霧ノズル、４はキャップ、５は前記胴体部２の内周面に形成された縦方向の凹凸模様であって、この凹凸模様５は、図２において矢印方向から見たとき、図１において一点鎖線で示すように縦縞状のソフトな印象の模様を視認できる。
【００２１】
なお、胴体部２は、公知のブロー又は射出成形により形成することができ、本考案においてこの胴体部３の成形方法は容器の厚さ、強度、大きさ等により適宜選択される。
【符号の説明】
【００２２】
１  容器
２  胴体部
３  ノズル
４  キャップ
５  凹凸模様
【図１】
0003168886.tif 000003
【図２】
0003168886.tif 000004
【手続補正書】
【提出日】平成23年5月23日(2011.5.23)
【手続補正１】
【補正対象書類名】明細書
【補正対象項目名】０００４
【補正方法】変更
【補正の内容】
【０００４】
【特許文献１】特開２０１１‐０５１６３１号公報
【手続補正２】
【補正対象書類名】明細書
【補正対象項目名】００１４
【補正方法】削除
【補正の内容】
(57)【要約】      （修正有）【課題】ローコストで取り付け位置を問わず設置可能であり、不要な開閉を軽減する後付け直接反射式ビームスイッチを提供する。【解決手段】反射式ビームスイッチを、人が手をかざして検知可能な位置に検知エリアが来るように後付けで設置し、起動用入力、又は補助用入力として使用し、かつ既存の光線式アクティブセンサーは補助用入力として使用可能とした構成とする。【選択図】図３
0003168871.tif 000002
【実用新案登録請求の範囲】
【請求項１】
自動ドア、自動シャッター、電気錠扉の起動用又は、補助用の後付け直接反射式ビームスイッチであって、２つ又は１つの後付け直接反射式ビームスイッチを、人が手をかざして検知可能な位置に検知エリアが来るように設置し、２つ又は１つを起動用入力として、又は２つ又は１つを補助用入力として、又は片方を起動用入力、他方を補助用入力として使用し、また、既存のセンサーは、補助用入力として使用することができる後付け直接反射式ビームスイッチ。
【考案の詳細な説明】
【技術分野】
【０００１】
本考案は、自動ドア、自動シャッター、電気錠扉の起動用又は、補助用の後付け直接反射式ビームスイッチに関するものである。
【背景技術】
【０００２】
図１と図２は、従来の自動ドア、自動シャッター、電気錠扉の構成を示した概要図である。従来の自動ドア、自動シャッター、電気錠扉は、起動用入力として、通常、光線式アクティブセンサーを使用している。また、図１のように、自動ドア、自動シャッター、電気錠扉１の開閉のため、起動用入力としてワイヤレスタッチスイッチ２を、補助用入力として光線式アクティブセンサー３を使用している場合もある。
【０００３】
近年では、図２のように、自動ドア、自動シャッター、電気錠扉１に貼り付けられたタッチ操作マーク５に手を近づけることにより、光線式アクティブセンサー（起動用・補助用機能付）６の起動用検知エリア７に手が入り、光線式アクティブセンサー（起動用・補助用機能付）６が検知動作を行い、自動ドア、自動シャッター、電気錠扉１が開き、その後、補助用検知エリア８が検知可能となり、安全を確保するものもある。
【考案の概要】
【考案が解決しようとする課題】
【０００４】
従来の自動ドア、自動シャッター、電気錠扉の起動用入力に関しては、光線式アクティブセンサーを使用して起動する場合、人が入らない場合でも検知することがあり、自動ドア、自動シャッター、電気錠扉が開閉し内部の温度や空調が保てなくなる場合がある。
【０００５】
ワイヤレスタッチスイッチを使用し、起動する場合は、自動ドア、自動シャッター、電気錠扉に操作部が設置されている為、開閉に伴い操作する場所が移動し、最初に通過する人は問題無いが、開閉動作時に他の人が来た場合、操作部が移動しており、操作することが出来ず、自動ドア、自動シャッター、電気錠扉に接触する場合があり、危険である。
【０００６】
自動ドア、自動シャッター、電気錠扉に貼り付けられたタッチ操作マークに手を近づけることにより、光線式アクティブセンサーの起動用検知エリアに手が入り、光線式アクティブセンサーが検知動作を行い、自動ドア、自動シャッター、電気錠扉が開き、その後、補助用検知エリアが検知可能となり、安全を確保するものの場合は、自動ドアが引き分けで光線式アクティブセンサーを中央部に取り付け、その真下に起動用検知エリアを設定出来る場合には問題無いが、片引きで自動ドアの端に起動用検知エリアを設定する場合は設定が困難になり、機能を果たさないことがある。
【課題を解決するための手段】
【０００７】
２つ又は１つの無目や方立にも取り付けが可能で取り付け位置を問わない反射式ビームスイッチを、人が手をかざして検知可能な位置に検知エリアが来るように後付けで設置し、２つ又は１つを起動用入力として、又は２つ又は１つを補助用入力として、又は片方を起動用入力、他方を補助用入力として使用し、かつ既存の光線式アクティブセンサーは補助用入力として使用可能とした構成とする。また、後付け反射式ビームスイッチを補助用入力とした場合、内外共に手かざしセンサーとしても運用可能となる。
【考案の効果】
【０００８】
反射式ビームスイッチは、ローコストで取り付け位置を問わず、かつ既存の光線式アクティブセンサーは補助用入力として使用でき、反射式ビームスイッチを補助用入力とした場合、内外共に手かざしセンサーとしても運用可能となる。また、自動ドア、自動シャッター、電気錠扉は、入室意思のある人の場合のみの開閉で、必要以外は開かない為、省エネとなり、かつ室内の温度や空調も保たれる。さらに、反射式ビームスイッチの検知エリアに手をかざし、自動ドア、自動シャッター、電気錠扉を開いた後でも、既存の光線式アクティブセンサーで後から入室する人に対しても検知出来る為、安全性が保たれる。
【図面の簡単な説明】
【０００９】
【図１】従来の自動ドア、自動シャッター、電気錠扉の構成を示した概要図である。
【図２】従来の自動ドア、自動シャッター、電気錠扉の構成を示した概要図である。
【図３】本考案の自動ドア、自動シャッター、電気錠扉の構成を示した概要図である。
【考案を実施するための最良の形態】
【００１０】
図３は、本考案の自動ドア、自動シャッター、電気錠扉の構成を示した概要図である。１は自動ドア、または自動シャッター、または電気錠扉であり、９、１０は直接反射式ビームスイッチで、取り付け位置を問わず設置が可能である。
【００１１】
直接反射式ビームスイッチ９は、人が手を入れる位置の自動ドア、自動シャッター、電気錠扉１の上部に取り付け、直接反射式ビームスイッチ１０は自動ドア、自動シャッター、電気錠扉１の人が手を入れる位置の高さに取り付ける。１１、１２は、それぞれ直接反射式ビームスイッチ９、１０の検知エリアであり、検知エリア１１又は１２に人が手を入れることで自動ドア、自動シャッター、電気錠扉１が起動する。既存の光線式アクティブセンサーは補助用入力として使用できるため、安全かつ不要な開閉を軽減するシステムが構成される。
【符号の説明】
【００１２】
１・・・自動ドア、自動シャッター、電気錠扉
２・・・ワイヤレスタッチスイッチ
３・・・光線式アクティブセンサー
４・・・光線式アクティブセンサーの検知エリア
５・・・タッチ操作マーク
６・・・光線式アクティブセンサー（起動用・補助用機能付）
７・・・光線式アクティブセンサーの起動用検知エリア
８・・・光線式アクティブセンサーの補助用検知エリア
９・・・直接反射式ビームスイッチ
１０・・・直接反射式ビームスイッチ
１１・・・直接反射式ビームスイッチ９の検知エリア
１２・・・直接反射式ビームスイッチ１０の検知エリア
１３・・・既存の光線式アクティブセンサー
【図１】
0003168871.tif 000003
【図２】
0003168871.tif 000004
【図３】
0003168871.tif 000005
(57)【要約】      （修正有）【課題】安全を確保し、ＡＴＭの稼働率を向上させる身支度テーブルを提供する。【解決手段】テーブル形状什器の上部のテーブルトップ周囲に、目隠しスクリーンを取り付ける。【選択図】図１
0003168898.tif 000002
【実用新案登録請求の範囲】
【請求項１】
銀行や郵便局のＡＴＭコーナーで、現金や書類を整理し、事故や忘れ物がないようにするために、身支度を整え、忘れ物などを確認するための家具。
【考案の詳細な説明】
【技術分野】
【０００１】  ＡＴＭコーナーにおける、現金、通帳、カードを整理するためのサービステーブル
【背景技術】
【０００２】  ＡＴＭコーナーでＡＴＭを使用した時、ＡＴＭの前で通帳や現金やカードを整理して財布やハンドバッグに入れたり封筒に入れたりするのは、後ろの人が待っているので慌てるため事故が増える。また、ＡＴＭの１件あたりの使用時間が長くなる。そのため、ＡＴＭの前で行うのではなく、ＡＴＭの近くにサービステーブルを置いて、落ち着いて身支度を整えるサービステーブルを設置する。写真１、写真２のように、今は後ろに人を待たせたままＡＴＭの前でカバンを整理し、現金の出し入れをしている。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【０００４】  現金や通帳やカードを使い道ごとに分けて安全を確保し財布やカバンに入れると、人は一安心する。そのために、落ち着いて整理し、身支度を整えるためのサービス台をＡＴＭコーナーの中に設置し、安全とＡＴＭの稼働率を向上させる。
【考案が解決しようとする課題】
【０００５】  上記「考案の概要」と同じ。
【考案の効果】
【０００６】  上記「考案の概要」と同じ。
【図面の簡単な説明】
【０００７】
【図１】  斜視図
【図２】  平面図  図１の１１ａ、１１ｂ、１１ｃは、他人に覗かれないようにするためのスクリーンである。暗くならないようにすることと、手元が外から見えないようにするために半透明や穴あきパネルにする。１２ａはテーブルトップである。立ってハンドバッグやカバンを開けて作業をするため、高さは９０ｃｍから１０５ｃｍくらいにする。サイズは大きすぎると邪魔になり、かつ、１人用であっても他人に覗かれたり手を出されたりしないかという不安感が出るため、コンパクトにする。幅は９０ｃｍから６０ｃｍ、奥行きは６０ｃｍ以内とする。図２は設置場所であるが、２１ａのように後ろに人が立たないように壁が後ろにあるようにするのが望ましいが、２２ａのように後ろを向くと片側が壁に面していて反対側の横から見えるようにするのも良い。しかし、２３ａのように左右が開いており、後ろが分からないのは避けるべきである。
【符号の説明】
【０００８】１１ａ・１１ｂ・１１ｃ    スクリーン
１２ａ                    テーブルトップ
１３ａ・１３ｂ・１３ｃ    脚
２１ａ・２２ａ・２３ａ    サービス台の設置例
【図１】
0003168898.tif 000003
【図２】
0003168898.tif 000004
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行や郵便局のＡＴＭコーナーで、現金や書類を整理し、事故や忘れ物がないようにするために、
１、手元が見えないようにスクリーンを取り付けること。
２、後ろの人通りが気にならない場所に置くこと。
以上により、落ち着いて身支度を整え、忘れ物などを確認するための家具。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
銀行や郵便局のＡＴＭコーナーで現金や書類を整理し、事故や忘れ物がないようにするために脚部とその上部に取り付けられたテーブルトップからなるテーブル形状什器に、前方あるいは横方向から利用者の手元が他者から見えないように、テーブルトップ周囲に目隠しスクリーンを取り付けることで、利用者が落ち着いて身支度を整え、忘れ物などを確認することができる身支度テーブル。
(57)【要約】      （修正有）【課題】銀行や郵便局において窓口の案内と伝票記入の手伝いをするカウンターを統合し、ロビーの入口の近くに設置できる様に構成した案内カウンターを提供する。【解決手段】銀行や郵便局の店頭において、脚部パネルとテーブルトップからなるテーブル形状の什器に、各種記入伝票とそれを収納する伝票ケースと記入用の筆記具がテーブルトップ上に置かれた形態の記帳台と、脚部パネルとテーブルトップからなるデスク形状の什器をはさんで行員と利用客が対面して座る形態の相談業務に用いる相談カウンターを連結一体化する。これにより、行員が伝票記入の手伝いや、あるいは、相談中にも手早く伝票の手続きが始められるようになる。【選択図】図１
0003168900.tif 000002
【実用新案登録請求の範囲】
【請求項１】
銀行や郵便局のロビーにコンシェルジュカウンターという、サービスの向上と顧客ニーズを把握する目的でつくられたカウンターを設置すること。
【請求項２】
コンシェルジュカウンターは、受付カウンターではない機能と形態とデザインする必要があるため、受付カウンター機能に記帳台の機能（図１）やコンサルタント機能（図２）やパンフレットスタンド（図３）の機能などを付加して受付カウンターではないことを視覚で表現したカウンター。
【請求項３】
名前をコンシェルジュカウンターとする。（ただし、銀行や郵便局に限った権利とする）
【考案の詳細な説明】
【技術分野】
【０００１】  銀行や郵便局の窓口を案内し、伝票記入などの手伝いをするカウンター。
【背景技術】
【０００２】  より深いサービスをするための顧客情報を得るために、受付カウンターにホテルのコンシェルジュのような案内機能と顧客の伝票記入のコンサルティングができるようにする。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【０００４】  銀行や郵便局の来店客に対して、サービスの充実と迅速化を図るために、コンシェルジュカウンターを設置する。今までの銀行や郵便局の受付カウンターは、案内をする目的であるが、このコンシェルジュカウンターは案内機能の他にコンサルティングや伝票記入の手伝いやパンフレット配布などの業務を行う。そのコンシェルジュカウンターは、伝票やパンフレットをセットでき、かつ、説明をしたり記入の手伝いができるようにする。
【考案が解決しようとする課題】
【０００５】  これからの金融業務は、コンサルティングが中心になる。コンサルティングを充実するために顧客のニーズを知る必要がある。今までの銀行員や郵便局員は、受付カウンターに座ると案内業務しか行わず、コンサルティングやサービス向上のための顧客情報を集めようというモチベーションが大変低かった。顧客ニーズを調べようというモチベーションを向上させなければならない。
【課題を解決するための手段】
【０００６】  顧客ニーズを知ろうというモチベーションの向上を図るために、コンシェルジュカウンターというネーミングのカウンターを設置する。今まで通り、受付カウンターという名前にすると受付業務しかやらなくなるためである。形やデザインも受付カウンターと変える必要がある。図１は伝票記入の手伝いをしながら、顧客ニーズを聞き出す目的でデザインしたコンシェルジュカウンターの１例である。形や名前が変わると、人間は行動の様式が変化する。
【考案の効果】
【０００７】  顧客ニーズを早くつかみ、顧客のお金の活用のためのコンサルティングができれば業績が飛躍的に向上する。
【図面の簡単な説明】
【０００８】
【図１】  記帳台機能が付いたコンシェルジュカウンターの斜視図
【図２】  コンサルティング機能が付いたコンシェルジュカウンターの斜視図
【図３】  パンフレットがたくさん並んだコンシェルジュカウンターの斜視図
【図１】
0003168900.tif 000003
【図２】
0003168900.tif 000004
【図３】
0003168900.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行や郵便局のロビーに置く記帳台と、相談カウンターの機能を組み合わせた形状で、視覚的にも受付カウンターとは異なることを表現したコンシェルジュ（案内）カウンター。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
銀行や郵便局の店頭において、脚部パネルとテーブルトップからなるテーブル形状の什器に、各種記入伝票とそれを収納する伝票ケースと記入用の筆記具がテーブルトップ上に置かれた形態の記帳台と、脚部パネルとテーブルトップからなるデスク形状の什器をはさんで行員と利用客が対面して座る形態の相談業務に用いる相談カウンターを連結一体化することで、行員が伝票記入の手伝いや、あるいは、相談中にも手早く伝票の手続きが始められるようにしたコンシェルジュカウンター。
(57)【要約】      （修正有）【課題】現金などの財産管理をする銀行や郵便局における機密管理を徹底させるために、視線はもとより、カメラなどからも伝票の記入内容を保護するための目隠しスクリーンを提供する。【解決手段】スクリーンの素材は、半透明のものとしては、アクリル、ガラス、また穴が開いたものとしてはスチールの直径１ｃｍから３ｃｍくらいの穴をたくさん開けたものにすると手元が明るく、かつ、他人の視線を遮り、写真撮影を防止できる。【選択図】図３
0003168899.tif 000002
【実用新案登録請求の範囲】
【請求項１】
銀行と郵便局の既存のカウンターや記帳台に個人情報の保護を目的としたスクリーンを取り付ける。
【請求項２】
既存の家具にスクリーンを取り付けるにあたって、簡単に取り付けるために特殊パーツを開発し、それに両面テープを用いて取付をする。
【考案の詳細な説明】
【技術分野】
【０００１】  銀行、郵便局などのお金の入出金、為替、小切手などのための手続き情報を隠すためのスクリーン。
【背景技術】
【０００２】  個人情報保護法や多発する詐欺事件などに対応することが強く求められる。現金などの財産管理をする銀行や郵便局における機密管理を徹底させるために、視線はもとより、カメラなどからも伝票の記入内容を保護するため、スクリーンを安価で簡易で手軽に設置する。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【考案が解決しようとする課題】
【０００４】  現在、写真１のようにカウンターや記帳台で隣の人から伝票内容を盗み見されたり写真撮影を防止するためのスクリーンがないため、無防備な状況にある。選挙の投票所のようなスクリーンをつけて、覗き見と写真撮影を防止する必要がある。しかし、選挙の投票所のように無味乾燥とした暗くなるようなものでなく、撮影や覗き見ができなく、かつ、光を通す明るいものが求められ、半透明のものやパンチングメタルのようなたくさんの小さな穴が開いたものにする。既存のカウンターや記帳台にスクリーンをつけるのであるから、簡単に取り付けられ、かつ、耐久性があることが求められる。また、安価である必要もある。
【課題を解決するための手段】
【０００５】  スクリーンの素材は、半透明のものとしては、アクリル、ガラス、また穴が開いたものとしてはスチールの直径１ｃｍから３ｃｍくらいの穴をたくさん開けたものにすると手元が明るく、かつ、他人の視線を遮り、写真撮影を防止できる。図１は記帳台にスクリーンをセットした例であるが、既存のものに簡単に取り付けられるように両面テープを用いて、かつ、特殊部品を用いて取り付ける。図２はカウンター取り付けたものである。
【考案の効果】
【０００６】  日本という国及び国民は、他人から見られることに対して無防備である。ＡＴＭ（現金自動預け払い機）の金額の入力を簡単に見ることができたり、ゴルフ場のロッカーの暗証番号を盗み見されて財布を盗まれた事件が多発して、ゴルフ場の貴重品ロッカーは指紋認証のものに変わったりといったことが起きている。機密を守るために、スクリーン付のカウンターを入れ替えたり、スクリーン付の記帳台に変えたり、また、カウンターや記帳台を取り替えなくても今までの方法でカウンターや記帳台にスクリーンを取り付けるために穴を開けたり、寸法を測って削ったりという作業をしてスクリーンを取り付けると大変お金と時間がかかる。そのため、日々の機密保護がないがしろになる。ワンタッチでスクリーンを取り付けられるように両面テープを特殊部品によって取り付けられるようにした。そのため、取り付けの手間が簡単で大変安価になり、普及が早まることにより機密保護が進展する。
【図面の簡単な説明】
【０００７】
【図１】  １人用スクリーン付カウンター斜視図
【図２】  ２人用スクリーン付カウンター斜視図
【図３】  スクリーンの詳細斜視図  図３はスクリーンの詳細斜視図である。（１１ａ、２１ａの部分をわかりやすくした図である）３３ａの部分に貼ってある両面テープの片側をはがしてカウンターや記帳台に取り付け固定する。この両面テープは大変特殊なもので、６０℃から−２０℃までの温度に対応できるものである。また、３２ａが特殊部品である。この部品も取り付けるための什器や素材に合わせて何種類かある。
【図１】
0003168899.tif 000003
【図２】
0003168899.tif 000004
【図３】
0003168899.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行と郵便局で使用しているカウンターや記帳台に、あとから両面テープ等で簡単に取り付けられる顧客情報保護のための目隠しスクリーン。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
銀行や郵便局で既に使用しているカウンターや記帳台のテーブルトップ上に、顧客情報保護の必要から他の利用者から覗かれないようにするために、ガラスあるいはアクリル製のパネルの下面に両面テープ等を貼ることで簡単に取り付けられる目隠しスクリーン。
(57)【要約】      （修正有）【課題】サーフィン時の特に波に乗る直前の推進力を高め、サーフィン時の危険時にサーフボード等を確りと掴むことができ、従来の物よりもサーフィン時の手、腕等への筋力の消耗を軽減、装着時に抜け落ちない様にするとともに、製作時のコストを抑える。【解決手段】指と指の間に水かきを作り、指先を出す事により掴む能力を上げ、従来の素材よりも軽くて柔らかく、水圧面を小さくした事で各筋力への負担を軽減し、柔らかい素材なので、推進力を高める時は指先が開き広くなるので抜けず、平常時では指と指の間の水かきを指で挟み込む為抜けない、又複雑な形状が無い為に裁断、縫製が簡単で、水圧面が少ないサーフィン用、フィンガーグローブ。【選択図】図１
0003168892.tif 000002
【実用新案登録請求の範囲】
【請求項１】
従来のサーフグローブでは手袋の様に手全体を覆っていたが、本考案では、親指を除く４本の指だけに絞り且つ、水かきを付ける事で、機能的で使いやすい
【請求項２】
指の先部分は物を掴み易くする為に、指先を出す
【請求項３】
素材を伸縮性が有り薄くて軽量、又水分を吸収しない、ナイロン製の素材を使って、製品化する事で、装着時の抜け落ちを防ぐ。推進力を高める時は指を開くので、指先が開き抜けなく、又平常時では指と指で水かきを挟むので抜けない
【請求項４】
４本指部分のみの製品なので、複雑な裁断、縫製が無く材料面等、共にコストが抑えられる
【考案の詳細な説明】
【技術分野】
【０００１】サーフィン時の推進力を増す物
【背景技術】
【０００２】従来は指先から手首まで覆っていた
【考案の開示】
【考案が解決しようとする課題】
【０００３】従来の物は素材自体が重くて、硬く、又製品の水圧面が広い為に手や腕の筋肉に負荷が掛かり過ぎ、且つ物が  掴み難い、又価格が高い
【課題を解決するための手段】
【０００４】素材を柔らかくて、軽いナイロン製にし、水圧面積を小さくし、指先を出す事で、形状を簡素化する
【考案の効果】
【０００５】製品自体が軽くなり、水圧面を小さくした事で、手や腕えの筋肉えの負担がへる、指先を出す事で物が掴み易い、形状を簡素化した事で製作コストが抑えられる
【考案を実施するための最良の形態】
【０００６】伸縮性が有り薄くて軽いナイロン製を使用し、水圧面を親指を除く４本の指とその指と指の間の水かき部分とする事と、４本指にした事で、複雑な裁断、縫製が無く、材料面でも、少なくて済む
【実施例】
【０００７】ナイロン製なので軽くて柔らかい【０００８】水圧面を小さくしする事で各筋力の負担を軽減【０００９】形状を簡素化で、あらゆる面でコストが下がる
【図面の簡単な説明】
【００１０】図１は推進力を高める時、図２は平常時、図３は製品のみ
【図１】サーフィン時に早く前に進む時、或は波に乗るる直前の使用状態
【図２】ゆっくりと進む時、或は進まない時
【図３】製品の平面図
【符号の説明】
【００１１】１  指入れ穴
２  水かき
３  指出し穴
４  縫い目
【図１】
0003168892.tif 000003
【図２】
0003168892.tif 000004
【図３】
0003168892.tif 000005
【手続補正書】
【提出日】平成19年9月28日(2007.9.28)
【手続補正１】
【補正対象書類名】実用新案登録請求の範囲
【補正対象項目名】全文
【補正方法】変更
【補正の内容】
【実用新案登録請求の範囲】
【請求項１】
親指を除く４本指のみで、指の付け根から指先までの水かき付きのサーフィン用フィンガーグローブ。
【請求項２】
請求項１に記載されたサーフィン用フィンガーグローブの、指先全てに穴を開け指先を出すようにした事を特徴とする、サーフィン用フィンガーグローブ。
【請求項３】
請求項１に記載されたサーフィン用フィンガーグローブにおいて、素材を伸縮性が有り薄く軽量且つ水分を吸収しない、ナイロン系素材で現在ラッシュガード商品等に広く使われている素材を使って作成する、サーフィン用フィンガーグローブ。
【請求項４】
請求項１に記載されたサーフィン用フィンガーグローブにおいて、手の甲面のみを指の付け根よりも長く成型し、指の挿入時に掴み部分を付けた事を特徴とするサーフィン用フィンガーグローブ。
【手続補正２】
【補正対象書類名】明細書
【補正対象項目名】００１０
【補正方法】変更
【補正の内容】
【００１０】図１は推進力を高める時、図２は平常時、図３は製品、図４はヒダ付き装着時、図５はヒダ付き製品【図１】サーフィン時に早く前に進む時、或は波に乗るる直前の使用状態
【図２】ゆっくりと進む時、或は進まない時
【図３】製品の平面図
【図４】ヒダ付き製品装着図
【図５】ヒダ付き製品平面図
【手続補正３】
【補正対象書類名】明細書
【補正対象項目名】００１１
【補正方法】変更
【補正の内容】
【００１１】１  指入れ穴
２  水かき
３  指出し穴
４  縫い目
５  ヒダ部分
【手続補正４】
【補正対象書類名】図面
【補正対象項目名】全図
【補正方法】変更
【補正の内容】
【図１】
0003168892.tif 000006
【図２】
0003168892.tif 000007
【図３】
0003168892.tif 000008
【図４】
0003168892.tif 000009
【図５】
0003168892.tif 000010